【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
以下の式
【化１】
2011526630.tif 000001
［式中、
Ｒ1、Ｒ2、Ｒ3、Ｒ4、Ｒ5およびＲ6は、互いに独立して、水素、Ｆ、ＳｉＲ100Ｒ101Ｒ102、または有機置換基であるか、あるいは
Ｒ1およびＲ2、Ｒ3およびＲ4、および／または互いに隣接する置換基Ｒ1、Ｒ2、Ｒ3、Ｒ4、Ｒ5および／またはＲ6のいずれかは、一緒になって、場合により置換され得る芳香族のまたは複素芳香族の環もしくは環系を形成し、
ｍは０、または整数１もしくは２であり、
ｎ1およびｎ2は０、または整数１もしくは２であり、
Ｒ100、Ｒ101およびＲ102は、互いに独立して、Ｃ1−Ｃ18アルキル、または、置換もしくは非置換Ｃ6−Ｃ18アリールであり、かつ、
Ａｒ1およびＡｒ2は、それぞれ互いに独立して、置換または非置換のアリーレン基、もしくはヘテロアリーレン基である］の反復単位を少なくとも１つ含むポリマーであって、ただし、前記のＲ1、Ｒ2、Ｒ3およびＲ4のうちの少なくとも１つはＨではない、ポリマー。
【請求項２】
式Ｉの反復単位を複数含む、請求項１に記載のポリマーであって、
Ｒ1、Ｒ2、Ｒ3およびＲ4は、互いに独立して、Ｈ、Ｆ、Ｃ1−Ｃ18アルキル、Ｅによって置換されかつ／もしくはＤによって中断されたＣ1−Ｃ18アルキル、Ｃ1−Ｃ18アルコキシ、Ｅによって置換されかつ／もしくはＤによって中断されたＣ1−Ｃ18アルコキシ、Ｃ1−Ｃ18ペルフルオロアルキル、Ｃ6−Ｃ24アリール、Ｇによって置換されたＣ6−Ｃ24アリール、Ｃ2−Ｃ20ヘテロアリール、またはＧによって置換されたＣ2−Ｃ20ヘテロアリールであり；
各基Ｒ5およびＲ6は、各存在において互いに独立して、Ｈ、ハロゲン、特にＦ、Ｃ1−Ｃ18アルキル、Ｅによって置換されかつ／もしくはＤによって中断されたＣ1−Ｃ18アルキル、Ｃ1−Ｃ18ペルフルオロアルキル、Ｃ6−Ｃ24アリール、Ｇによって置換されたＣ6−Ｃ24アリール、Ｃ2−Ｃ20ヘテロアリール、Ｇによって置換されたＣ2−Ｃ20ヘテロアリール、Ｃ2−Ｃ18アルケニル、Ｃ2−Ｃ18アルキニル、Ｃ1−Ｃ18アルコキシ、Ｅによって置換されかつ／もしくはＤによって中断されたＣ1−Ｃ18アルコキシ、Ｃ7−Ｃ25アラルキル、ＣＮまたは−ＣＯ−Ｒ28であり、
ｍは０、または整数１もしくは２であり、
Ｄは、−ＣＯ−；−ＣＯＯ−；−Ｓ−；−ＳＯ−；−ＳＯ2−；−Ｏ−；−ＮＲ25−；−ＳｉＲ30Ｒ31−；−ＰＯＲ32−；−ＣＲ23＝ＣＲ24−；または−Ｃ≡Ｃ−であり；かつ
Ｅは、−ＯＲ29；−ＳＲ29；−ＮＲ25Ｒ26；−ＣＯＲ28；−ＣＯＯＲ27；−ＣＯＮＲ25Ｒ26；−ＣＮ；またはハロゲン、特にＦであり、
Ｇは、Ｅ、Ｃ1−Ｃ18アルキル、Ｄによって中断されたＣ1−Ｃ18アルキル、Ｃ1−Ｃ18ペルフルオロアルキル、Ｃ1−Ｃ18アルコキシ、またはＥによって置換されかつ／もしくはＤによって中断されたＣ1−Ｃ18アルコキシであり、
Ｒ23、Ｒ24、Ｒ25およびＲ26は、互いに独立して、Ｈ；Ｃ6−Ｃ18アリール；Ｃ1−Ｃ18アルキルもしくはＣ1−Ｃ18アルコキシによって置換されたＣ6−Ｃ18アリール；Ｃ1−Ｃ18アルキル；または−Ｏ−によって中断されたＣ1−Ｃ18アルキルであり；
Ｒ27は、Ｈ；Ｃ6−Ｃ18アリール；Ｃ1−Ｃ18アルキルもしくはＣ1−Ｃ18アルコキシによって置換されたＣ6−Ｃ18アリール；Ｃ1−Ｃ18アルキル；または−Ｏ−によって中断されたＣ1−Ｃ18アルキルであり、
Ｒ28は、Ｈ；Ｃ6−Ｃ18アリール；Ｃ1−Ｃ18アルキルもしくはＣ1−Ｃ18アルコキシによって置換されたＣ6−Ｃ18アリール；Ｃ1−Ｃ18アルキル；または−Ｏ−によって中断されたＣ1−Ｃ18アルキルであり、
Ｒ29は、Ｈ；Ｃ6−Ｃ18アリール；Ｃ1−Ｃ18アルキルもしくはＣ1−Ｃ18アルコキシによって置換されたＣ6−Ｃ18アリール；Ｃ1−Ｃ18アルキル；または−Ｏ−によって中断されたＣ1−Ｃ18アルキルであり、
Ｒ30およびＲ31は、互いに独立して、Ｃ1−Ｃ18アルキル、Ｃ6−Ｃ18アリール、またはＣ1−Ｃ18アルキルによって置換されたＣ6−Ｃ18アリールであり、かつ
Ｒ32は、Ｃ1−Ｃ18アルキル、Ｃ6−Ｃ18アリール、またはＣ1−Ｃ18アルキルによって置換されたＣ6−Ｃ18アリールである、ポリマー。
【請求項３】
請求項１または２に記載のポリマーであって、
当該ポリマーが、式
【化２】
2011526630.tif 000002
［式中、
Ｒ1、Ｒ2、Ｒ3およびＲ4は、互いに独立して、Ｃ6−Ｃ12アリールであるか、もしくは１つ以上のＧ基によって場合により置換されていてよいＣ2−Ｃ11ヘテロアリールであり、ここでＧは、請求項２に定義されている通りである、か、あるいは
Ｒ1、Ｒ2、Ｒ3およびＲ4は、互いに独立して、Ｃ1−Ｃ18アルキル、−Ｏ−によって中断されたＣ1−Ｃ18アルキル、Ｃ1−Ｃ18アルコキシ；もしくは−Ｏ−によって中断されたＣ1−Ｃ18アルコキシである］の反復単位を少なくとも１つ含有する、ポリマー。
【請求項４】
請求項３に記載のポリマーであって、
Ｒ1、Ｒ2、Ｒ3およびＲ4は、互いに独立して、
【化３】
2011526630.tif 000003
であり、ここでｎ3は０、または整数１、２、３、４もしくは５であり、Ｒ11は、それぞれの存在において同一であっても異なっていてもよく、Ｃ1−Ｃ25アルキルまたはＣ1−Ｃ25アルコキシであるか、あるいは
Ｒ1、Ｒ2、Ｒ3およびＲ4は、互いに独立して、Ｃ1−Ｃ18アルキル、−Ｏ−によって中断されたＣ1−Ｃ18アルキル、Ｃ1−Ｃ18アルコキシ；または−Ｏ−によって中断されたＣ1−Ｃ18アルコキシである、ポリマー。
【請求項５】
請求項４に記載のポリマーであって、
式
【化４】
2011526630.tif 000004
の反復単位を少なくとも１つ含み、ここで、式中、Ｒ1、Ｒ2、Ｒ3およびＲ4の組み合わせが、以下の表で表される、
【表１−１】
2011526630.tif 000005
【表１−２】
2011526630.tif 000006
【表１−３】
2011526630.tif 000007
【表１−４】
2011526630.tif 000008
【表１−５】
2011526630.tif 000009
【表１−６】
2011526630.tif 000010
ポリマー。
【請求項６】
請求項１に記載のポリマーであって、
【化５−１】
2011526630.tif 000011
【化５−２】
2011526630.tif 000012
【化５−３】
2011526630.tif 000013
の反復単位を少なくとも１つ含む、ポリマー。
【請求項７】
請求項１〜６のいずれか１項に記載のポリマーを含む電子素子またはその構成要素。
【請求項８】
ポリマー発光ダイオード（ＰＬＥＤ）における、特にエレクトロルミネセンス材料としての、請求項１〜６のいずれか１項に記載のポリマーの使用。
【請求項９】
請求項１〜６のいずれか１項に記載のポリマーを１つ以上含む、ＰＬＥＤ、有機集積回路（Ｏ−ＩＣ）、有機電界トランジスタ（ＯＦＥＴ）、有機薄膜トランジスタ（ＯＴＦＴ）、有機太陽電池（Ｏ−ＳＣ）、熱電装置、エレクトロクロミック素子または有機レーザダイオード。
【請求項１０】
式
【化６】
2011526630.tif 000014
［式中
Ａｒ1、Ａｒ2、ｎ1、ｎ2、Ｒ1、Ｒ2、Ｒ3、Ｒ4、Ｒ5、Ｒ6およびｍは、請求項１に定義されている通りであり；
Ｘ11は、それぞれの存在において独立して、ハロゲン原子、特にＩ、ＣｌまたはＢｒ；−ＺｎＸ12、または−ＳｎＲ207Ｒ208Ｒ209［ここで、Ｒ207、Ｒ208およびＲ209は同一であるか、または異なっており、ＨまたはＣ1−Ｃ6アルキルであり、場合によりそれら３つの基のうちの２つの基が共通の環を形成してもよく、かつ、それらの基は、場合により分枝状または非分枝状であり、また、Ｘ12はハロゲン原子、とりわけＩまたはＢｒである］であるか；あるいは
−ＯＳ（Ｏ）2ＣＦ3、−ＯＳ（Ｏ）2−アリール、特に
【化７】
2011526630.tif 000015
もしくは−ＯＳ（Ｏ）2ＣＨ3、−Ｂ（ＯＨ）2、−Ｂ（ＯＹ11）2、
【化８】
2011526630.tif 000016
、−ＢＦ4Ｎａまたは−ＢＦ4Ｋ［ここでＹ11は、それぞれの存在において独立して、Ｃ1−Ｃ10アルキル基であり、また、Ｙ12は、それぞれの存在において独立して、Ｃ2−Ｃ10アルキレン基、例えば−ＣＹ13Ｙ14−ＣＹ15Ｙ16−または−ＣＹ17Ｙ18−ＣＹ19Ｙ20−ＣＹ21Ｙ22−であり、ここでＹ13、Ｙ14、Ｙ15、Ｙ16、Ｙ17、Ｙ18、Ｙ19、Ｙ20、Ｙ21およびＹ22は、互いに独立して、水素、またはＣ1−Ｃ10アルキル基、特に−Ｃ（ＣＨ3）2Ｃ（ＣＨ3）2−または−Ｃ（ＣＨ3）2ＣＨ2Ｃ（ＣＨ3）2−］である］の化合物。
【請求項１１】
式
【化９】
2011526630.tif 000017
［式中、
Ｘ11、Ａｒ1、Ａｒ2、ｎ1、ｎ2、Ｒ5、Ｒ6およびｍは、請求項１０に定義されている通りである］の化合物。
【請求項１２】
式
【化１０】
2011526630.tif 000018
の化合物の製造方法であって、式
【化１１】
2011526630.tif 000019
の化合物と、臭素化剤、例えばＮ−ブロモスクシンイミド（ＮＢＳ）または１，３−ブロモ−５，５−ジメチルダントインとを反応させる工程を含み、上記式中、Ｘ11はＢｒであり、ｎ1およびｎ2は０であり、Ａｒ1、Ａｒ2、Ｒ5、Ｒ6およびｍは請求項１０に定義されている通りである、製造方法。
【手続補正２】
【補正対象書類名】明細書
【補正対象項目名】００９０
【補正方法】変更
【補正の内容】
【００９０】
当該装置において、本発明によるポリマーは、エレクトロルミネセンス材料として使用される。本発明の目的では、「エレクトロルミネセンス材料」という用語は、エレクトロルミネセンス装置における活性層として、または活性層に使用できる材料を指すものと捉えられる。「活性層」という用語は、電場が印加されると層が発光し得ること（発光層）、および／またはそれが正電荷および／または負電荷の注入および／または輸送を向上させること（電荷注入または電荷輸送層）を意味する。したがって、本発明は、また、エレクトロルミネセンス材料としての本発明によるポリマーの使用に関する。本発明は、また、本発明によるポリマーを含むエレクトロルミネセンス材料に関する。エレクトロルミネセンス装置は、例えば、自光式ディスプレイ素子、例えばコントロールランプ、英数字表示装置、標識および光電子カプラーに使用される。
【手続補正３】
【補正対象書類名】明細書
【補正対象項目名】００９２
【補正方法】変更
【補正の内容】
【００９２】
一実施形態において、電子素子は、
（ａ）正電荷キャリアを注入するための電荷注入層と、
（ｂ）負電荷キャリアを注入するための電荷注入層と、
（ｃ）本発明によるポリマーを含む層（ａ）と層（ｂ）の間に配置された発光層とを含むエレクトロルミネセンス装置を含む。
【手続補正４】
【補正対象書類名】明細書
【補正対象項目名】０１０４
【補正方法】変更
【補正の内容】
【０１０４】
好適な実施形態において、エレクトロルミネセンス装置は、電圧印加時に装置が順方向バイアスされると、正孔が陽極材料から正孔輸送ポリマー膜に注入され、電子が陰極材料から発光ポリマー膜に注入されて、発光層が発光するように、陽極材料と陰極材料の間に配置された、本発明のポリマーで構成される少なくとも１つの正孔輸送ポリマー膜および発光ポリマー膜を含む。
【手続補正５】
【補正対象書類名】明細書
【補正対象項目名】０１０５
【補正方法】変更
【補正の内容】
【０１０５】
別の好適な実施形態において、正孔輸送ポリマーの層は、陽極に近い層ほど低い酸化電位を有し、隣接層が漸次より高い酸化電位を有するように配置される。これらの方法によって、単位電圧当たりの光出力が比較的大きなエレクトロルミネセンス装置を製造することができる。